(57)【要約】【課題】遺体の体液の漏れを防止した折り畳み式組立棺を提供する。【解決手段】折り畳み式組立棺(A)は、底板(1)と、その両長辺側に取り付けられる側板(2,3)と、その長手方向の両端部に取り付けられる前板(4)及び後板と、天板(6)で構成されている。底板(1)には両長辺部に沿って補強部材(11,11a)が液密に固着され、底板(1)の外端面には幕板(12)が固着されている。底板(1)上面には防水シート(8)がその両側部分で補強部材(11,11a)の内面を覆うようにして敷かれている。各側板(2,3)は、一方の側板(2)を内側へ倒したときには底板(1)の上面(10)に重ねることができ、他方の側板(3)は一方の側板(2)と高さを違えて側板(2)に重ねて折り畳みができるように、一方または双方の側板(2,3)が二折れ蝶番(7)によって補強部材(11,11a)に取り付けられている。【選択図】図５
2009285192.tif 000002
【特許請求の範囲】
【請求項１】
底板(1)と、底板(1)の両長辺側に取り付けられる側板(2,3)と、各側板(2,3)の長手方向の両端部に取り付けられる前板(4)及び後板(5)と、各側板(2,3)と前板(4)及び後板(5)の上側に載置される天板(6)を備えており、
底板(1)には、少なくとも両長辺部に沿って底板(1)の縁部から所要高さに立ち上げて補強部材(11,11a)が液密に固着されており、
底板(1)の外周面には補強部材(11,11a)を隠す幕板(12)が固着されており、
幕板(12)の上端縁部は補強部材(11,11a)の上面(110)と面一か、または上側に位置しており、
各側板(2,3)は、一方の側板(2)を底板(1)側へ倒したときには底板(1)の上面に重ねることができ、他方の側板(3)は前記一方の側板(2)と高さを違えて該側板(2)に重ねて折り畳みができるように、一方または双方の側板(2,3)が二折れ蝶番(7)によって補強部材(11,11a)に取り付けられ、各側板(2,3)は立てたときに補強部材(11,11a)の上面(110)に載るようにしてあり、
底板(1)の上面(10)には防水シート(8)が敷設されており、防水シート(8)の両側は補強部材(11,11a)の内面(111)まで覆っている、
折り畳み式組立棺。
【発明の詳細な説明】
【技術分野】
【０００１】
本発明は、折り畳み式組立棺に関するものである。更に詳しくは、保管時には折り畳んでコンパクトにしておくことができ、使用時に簡単に組み立てることができる折り畳み式組立棺であって、遺体の体液が棺の外に漏れるのを防止するための防水シートをあらかじめ位置がずれないようにして底板の上面に敷いておくことができるものに関する。
【背景技術】
【０００２】
従来、棺は製品として保管しておく場合、箱状に形成したものをそのまま保管していたが、内部に空間を有するために嵩張って収容効率が悪かった。現在では、この問題を改善するために、保管時には折り畳んでコンパクトにしておくことができ、使用時に簡単に組み立てることができる折り畳み式の組立棺が提案され、普及してきている。このような棺としては、例えば特許文献１に開示されたものがある。
【０００３】
特許文献１記載の棺は、天板、二枚の側板、前板、後板及び底板で構成された折り畳み式組立棺であって、各側板は底板に折り畳みができるように接合されている。折り畳み時には、各側板が底板の上で重なり合い、組み立て時には、底板の長手方向の両側の端面が、それぞれ対応する各側板で隠れるように、各側板と底板とが蝶番によって接合されている構成を有している。
【０００４】
【特許文献１】特開２００３−１８０７６６
【発明の開示】
【発明が解決しようとする課題】
【０００５】
しかしながら、前記特許文献１記載の棺には次のような課題があった。
例えば事故や災害で亡くなった人の遺体等、棺に収容される遺体によっては体液が出やすい場合がある。本発明においては、棺を構成する各側板は底板に蝶番だけで接合されているので、組み立てた状態でも底板の端面と各側板の内面との間には僅かな隙間が形成されている。このため、底板上面に防水シートを敷いた場合でも、防水シートが前記隙間を十分に覆うことができず、遺体から出た体液が前記隙間から外部へ漏れるおそれがあった。
【０００６】
また、仮に防水シートを底板にあらかじめ敷いた形態にする場合、棺を折り畳んだ状態では底板の縁部には所要数の蝶番があるだけでシートがずれないように止めることは難しく、しかも組み立ての際にはシートを底板と側板で挟まないようにする手間がかかり作業が繁雑になる。このため、あらかじめ防水シートを敷いておくこともできない。
【０００７】
さらに、前記のように各側板が底板に蝶番だけで接合されている構造では、構造的な強度が不足している。したがって、例えば使用時に収容した遺体によって底板に大きな荷重がかかった状態で持ち上げると、底板が変形しようとするために特定の蝶番に無理な力が作用し、蝶番が変形したり外れたりして、これが原因で底板が大きく変形するおそれがあった。この点を解消するには底板自体を厚くして強度を上げる方法もあるが、これでは棺の重量が重くなり、コスト高になってしまう問題が生じる。
【０００８】
（本発明の目的）
本発明の目的は、保管時には折り畳んでコンパクトにしておくことができ、使用時に簡単に組み立てることができる折り畳み式組立棺であって、遺体の体液が棺の外に漏れるのを防止するための防水シートをあらかじめ位置がずれないようにして底板の上面に敷いておくことができ、組み立て後に防水シートを敷く手間を省いて、製品としての付加価値を高めた折り畳み式組立棺を提供することである。
また、本発明の他の目的は、前記目的に加えて、棺を構成する底板が変形しにくく、棺としての強度により優れている折り畳み式組立棺を提供することである。
【課題を解決するための手段】
【０００９】
上記課題を解決するために本発明が講じた手段は次のとおりである。
本発明は、
底板と、底板の両長辺側に取り付けられる側板と、各側板の長手方向の両端部に取り付けられる前板及び後板と、各側板と前板及び後板の上側に載置される天板を備えており、
底板には、少なくとも両長辺部に沿って底板の縁部から所要高さに立ち上げて補強部材が液密に固着されており、
底板の外周面には補強部材を隠す幕板が固着されており、
幕板の上端縁部は補強部材の上面と面一か、または上側に位置しており、
各側板は、一方の側板を底板側へ倒したときには底板の上面に重ねることができ、他方の側板は前記一方の側板と高さを違えて該側板に重ねて折り畳みができるように、一方または双方の側板が二折れ蝶番によって補強部材に取り付けられ、各側板は立てたときに補強部材の上面に載るようにしてあり、
底板(1)の上面には防水シートが敷設されており、防水シートの両側は補強部材の内面まで覆っている、
折り畳み式組立棺である。
【００１０】
特許請求の範囲及び本明細書にいう「二折れ蝶番」とは、三枚の板部を同じ方向へ並べて設け、各板部の間の二箇所の接続部において回動できるように、または折れ曲がることができるように例えば薄肉に形成されている構造のものをいう。
二折れ蝶番の両端側の板部には、底板、補強部材や側板等、対象物に対する二折れ蝶番の固定を補助する手段、例えばネジ孔や釘孔等が設けられている。
二折れ蝶番は、可燃性の合成樹脂で形成するのが好ましいが、可燃性で十分な強度があれば他の素材を採用するこもできる。合成樹脂製のものとしては、例えば三枚の板部と接続部を一体に成形した構造があげられる。
【００１１】
（作用）
本発明に係る折り畳み式組立棺の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１２】
折り畳み式組立棺においては、底板(1)に少なくとも両長辺部に沿って底板(1)の縁部から所要高さに立ち上げて補強部材(11,11a)が液密に固着されている。また、底板(1)の上面(10)には防水シート(8)が敷設されており、防水シート(8)の両側は補強部材(11,11a)の内面(111)まで覆っている。
この構成により、防水シート(8)は、補強部材(11,11a)間に底板(1)と補強部材(11,11a)の間の接合部を覆った状態で仮止めすることができ、しかも組み立て時における各側板(2,3)の動きは防水シート(8)の状態に影響しないので、防水シート(8)が挟まらないようにする手間もかからず、簡単かつ迅速に組み立てることができる。したがって、万一の災害時に多数の犠牲者が出た場合でも、迅速に納棺することができる。
【００１３】
また、仮に防水シート(8)がずれるなどして体液が漏れた場合でも、補強部材(11,11a)が底板(1)に液密に固着されているので、棺の外部に漏れることは防止できる。
さらには、棺を折り畳んだ状態で防水シート(8)を底板(1)にあらかじめ敷いておくことができるようになり、組み立て後に防水シート(8)を敷く手間が省けるので、製品としての付加価値を高めることができる。
【００１４】
また、底板(1)は、前記補強部材(11,11a)と、底板(1)の外端面に固着されている幕板(12,12a)によって補強されている。この構造により、使用時に底板(1)に対し大きな荷重がかかっても底板(1)自体が変形しにくく、各側板(2,3)を取り付けている各二折れ蝶番(7)に力がほぼ均等に分散して作用する。したがって、二折れ蝶番(7)が変形したり外れたりすることはなく、それが原因で底板(1)が大きく変形してしまうことを防止できる。
【００１５】
また、折り畳み式組立棺を折り畳み状態にするには、天板(6)を外し、さらに各側板(2,3)から前板(4)と後板(5)を外し、各側板(2,3)を底板(1)側へ倒すようにする。側板(2,3)を倒す際は、まず一方の側板(2)を底板(1)側へ倒して底板(1)の上面(10)に重ね、次に他方の側板(3)を倒して前記一方の側板(2)と高さを違えて該側板(2)に重ねる。
【００１６】
このように、各側板(2,3)は二折れ蝶番(7)の使用状態で高さの異なる二箇所に設けられている回動中心となる各接続部を利用して高さを違えることができ、底板(1)及び両側板(2,3)をほぼ平行にすることができるので、倒す際に二折れ蝶番(7)に無理な力がかからないようにして各側板(2,3)を折り畳むことができる。これにより、折り畳み式組立棺は折り畳んだ状態で底板(1)と両側板(2,3)の間に余分な空間がなく、全体をコンパクトに保管することができる。
【００１７】
また、幕板(12)の上端縁部は補強部材(11,11a)の上面(110)と面一か、または上側に位置しており、各側板(2,3)を立てたときに下面が補強部材(11,11a)の上面(110)に載るようにしてあるので、折り畳み式組立棺を組み立てたときに補強部材(11,11a)と各側板(2,3)の接合面でできる線が幕板(12)に隠れて外部から見えないので、外観が見苦しくならない。
【発明の効果】
【００１８】
本発明は前記構成を有し、次のような効果を備えている。
（ａ）本発明に係る折り畳み式組立棺において、防水シートは、補強部材間に底板と補強部材の間の接合部を覆った状態で仮止めすることができ、しかも組み立て時における各側板の動きは防水シートの状態に影響しないので、防水シートが挟まらないようにする手間もかからず、簡単かつ迅速に組み立てることができる。したがって、万一の災害時に多数の犠牲者が出た場合でも、迅速に納棺することができる。
また、仮に防水シートがずれるなどして体液が漏れた場合でも、補強部材が底板に液密に固着されているので、棺の外部に漏れることは防止できる。さらには、棺を折り畳んだ状態で防水シートを底板にあらかじめ敷いておくことができるようになり、組み立て後に防水シートを敷く手間が省けるので、製品としての付加価値を高めることができる。
【００１９】
（ｂ）折り畳み式組立棺は、底板が少なくとも両長辺部に沿って固着されている補強部材によって補強されており、底板の外端面に固着されている幕板によっても同じく補強されている。この構造により、使用時に底板に対し大きな荷重がかかっても底板自体が撓むなどの変形を起こしにくく、各側板を取り付けている各二折れ蝶番に力がほぼ均等に分散して作用する。したがって、二折れ蝶番が変形したり外れたりすることはなく、それが原因で底板が大きく変形してしまうことを防止できる。
また、各側板は二折れ蝶番の使用状態で高さの異なる二箇所に設けられている回動中心となる各接続部を利用して高さを違えることができ、各板をほぼ平行にすることができるので、倒す際に二折れ蝶番に無理な力がかからないようにして各側板を折り畳むことができる。これにより、折り畳み式組立棺は全体をコンパクトにして保管することができる。
【００２０】
（ｃ）幕板の上端縁部は補強部材の上端縁部と面一か、または上側に位置しており、各側板は立てたときに下面が補強部材の上面に載るようにしてあるので、折り畳み式組立棺を組み立てたときに、補強部材と各側板の接合面でできる線が幕板に隠れて外部から見えない。したがって、棺の外観が見苦しくならない。
【発明を実施するための最良の形態】
【００２１】
本発明を図面に示した実施の形態に基づき詳細に説明する。
図１は本発明に係る折り畳み式組立棺の実施の形態を示す要部分解斜視図、
図２は折り畳み式組立棺の中間部分を一部省略した縦断面説明図、
図３は底板と側板の接続に使用される二折れ蝶番の斜視図、
図４は各側板を底板側へ倒して折り畳んだ状態を示す断面図、
図５は各側板を立てた状態を示す断面説明図である。
【００２２】
折り畳み式組立棺Ａは、底板１と、底板１の両長辺側に内側の底板１側へ倒すことができるように接続された側板２、３と、側板２、３の間に取り付けられる前板４と後板５及び天板６を備えた構造である。各板はいずれも木製であるが、これに限定されるものではなく、強度が十分であれば、例えば紙製のもの等を採用することもできる。
【００２３】
底板１は、所要の長さ及び幅を有する長方形状の板体である。底板１の周縁部に沿う上面１０には、両長辺側の全長にわたり補強部材１１、１１ａが釘着と接着によって液密に固定されている。補強部材１１、１１ａは、断面長方形状の木製の角材であり、底板１を補強できる十分な強度を有している。底板１の外端面と補強部材１１の外端面とは面一になるように形成されている（図４、図５参照）。
【００２４】
底板１の両長辺側には、底板１の外端面と補強部材１１、１１ａの外端面に接着して化粧材である幕板１２が固定されている。また、底板１の両短辺側には、底板１の外端面に同じく化粧材である幕板１２ａが接着して固定されている（図２参照）。本実施の形態では、底板１の両短辺側には補強部材は設けられていないが、長辺側と同様に補強部材を設けることもできる。
【００２５】
底板１の両長辺側の幕板１２と、両短辺側の幕板１２ａは、上面が面一となる同じ高さに形成されており、底板１の四隅で互いに接着されている。また、幕板１２、１２ａの上面１２０の高さは、補強部材１１、１１ａの上面１１０よりやや高くなるように形成されており、幕板１２は補強部材１１の上面１１０と後述する側板２、３の下面２２、３２で形成される線を隠すことができるようになっている。（図５参照）。
【００２６】
なお、幕板１２、１２ａの上面１２０の高さを補強部材１１、１１ａの上面１１０と面一に形成し、前記接合部を幕板１２、１２ａの上面１２０と同じ高さにして意匠的に目立たないようにすることもできる。
前記両側板２、３は、底板１の上面１０に固定された補強部材１１、１１ａに所要数の二折れ蝶番７により、底板１側へ倒すことによって折り畳みができるように取り付けられている。二折れ蝶番７による取付構造については後述する。
【００２７】
また、底板１の上面１０には防水シート８（図４、図５に図示しており、図１、図２では省略している）が敷かれている。防水シート８は、幅方向の両側部分で、底板１に液密に固着されている補強部材１１、１１ａの内面１１１までを覆っている。
【００２８】
ここで、二折れ蝶番７の構造を図３を参照して説明する。
二折れ蝶番７は合成樹脂製であり、成形によって一体につくられている。二折れ蝶番７は、全体が長方形の板状であり、中央の板部７２の両側に薄肉に形成した可曲部７４、７５を配し、その外側に取付板部７１、７３を接続した構造である。二折れ蝶番７は、補強部材１１、１１ａと側板２、３の取り付けに必要十分な剛性と、二箇所にある可曲部７４、７５での折り曲げができる柔軟性（または撓み性）を備えている。
【００２９】
可曲部７４、７５は、板部７２、取付板部７１、７３をつなぎ方向においてほぼ等幅で区分けするものであり、互いに反対側となる面に平行に設けられている。なお、板部７２と取付板部７３の幅は、後述するように補強部材１１、１１ａの底面（符号省略：実質的に底板１の上面１０と同じ面）から上面１１０までの高さの１／２の長さに設定されている。
【００３０】
可曲部７４、７５は同じ構造を有しており、両側斜面が表面と４５°の角度で断面ほぼＶ字状に設けられた溝の底部に断面山形状の条部を設けた構造である。この構造により、二折れ蝶番７は板部７２、取付板部７１、７３を可曲部７４、７５で折り曲げることができる。板部７２、取付板部７１、７３は、図３に示す直板状態から可曲部７４、７５が設けられている面側へ最大１８０°折り曲げることができる。
【００３１】
両端側の取付板部７１、７３には、それぞれ二箇所にネジ用孔７６が表裏面を貫通して設けられており、ネジ用孔７６の近傍の三箇所にはネジ用孔７６より径小な釘位置決め用孔７７が表裏面を貫通して設けられている。
なお、二折れ蝶番７は、厚みが見える側面から見て点対称構造となっており、表裏を間違わなければ、長手方向については方向性がないので取り付け作業がしやすい。
【００３２】
側板２、３は長方形の板状に形成され、それぞれ長手方向の両端寄りの内側となる面、つまり内面２０、３０にガイド２１、３１がネジで固定されている。ガイド２１は所要間隔をおいて上下二箇所に設けられ、ガイド３１も同様に所要間隔をおいて上下二箇所に設けられている（主に図１参照）。
【００３３】
また、前記前板４と後板５は長方形の板状に形成され、互いに同様の構造を有している。前板４と後板５は、それぞれ幅方向の両側端面に蟻溝４０、５０が下端部から上端部近傍まで形成されている。前板４と後板５は、後述するように蟻溝４０、５０とガイド２１、３１を係合させることによる蟻継ぎで側板２、３間に取り付けられる。
【００３４】
次に、二折れ蝶番７による側板２、３と補強部材１１、１１ａの取付構造を説明する。
側板２、３の厚さは、補強部材１１、１１ａの幅と同じになるように形成されている（図５参照）。側板２は補強部材１１に、また側板３は補強部材１１ａに、それぞれ複数の二折れ蝶番７によって取り付けられている。取り付けに使用される二折れ蝶番７の数は適宜設定される。
【００３５】
側板２の補強部材１１に対する取付構造と、側板３の補強部材１１ａに対する取付構造は同様であるので、側板２の取付構造を例にとり説明し、側板３の取付構造の説明は省略する。
側板２は、内面２０が補強部材１１の内面１１１と面一になるようにして補強部材１１の上面１１０に載置し、その状態で図３に示す直板状の二折れ蝶番７を内面２０と内面１１１間で渡すようにして取り付けられている。
【００３６】
二折れ蝶番７は、上側となる可曲部７４が設けられている側の面を内面１１１に接面させ、さらに下端辺部を底板１の上面１０に当接させるようにする（図１、図４、図５参照）。二折れ蝶番７は、この状態で取付板部７３を補強部材１１の内面１１１にネジ着し、取付板部７１を側板２の内面２０にネジ着することにより固定されている。この取付構造によって、側板２、３は図５に示す立てた状態から外側へ倒すことはできず、底板１側へのみ倒すことができる。
【００３７】
そして、側板２、３の長手方向の両端部には、前板４と後板５が取り付けられる。前板４と後板５は、前記したように、蟻溝４０、５０とガイド２１、３１を係合させることによる蟻継ぎ構造によって側板２、３間に取り付けられている。
なお、天板６は周縁部下面を側板２、３及び前板４、後板５の上面に載置させて被せられる（図２参照）。
【００３８】
（作用）
図１ないし図５（主に図４、図５）を参照して折り畳み式組立棺Ａの作用を説明する。
折り畳み式組立棺Ａは、図２に示す組み立てた状態にする前には、図４に示すように折り畳んでおくことができる。なお、図４では他の構成部材である前板４、後板５及び天板６の図示は省略している。
【００３９】
折り畳み式組立棺Ｔにおいては、底板１の上面１０に防水シート８が敷かれており、防水シート８は、その両側部分で、底板１に液密に固着されている補強部材１１、１１ａの内面１１１までを覆っている。
これにより、防水シート８は、補強部材１１、１１ａ間に底板１と補強部材１１、１１ａの間の接合部を覆った状態で仮止めすることができる。しかも、後述する組み立て時において、各側板２、３の動きは防水シート８とは離れており、防水シート８の状態に影響しない。
【００４０】
したがって、棺を組み立てる際に各側板２、３と底板１や補強部材１１、１１ａで防水シート８が挟まれないようにする手間もかからず、簡単かつ迅速に組み立てることができる。また、棺を折り畳んだ状態で防水シート８を底板１にあらかじめ敷いておくことができるようになり、組み立て後に防水シート８を敷く手間が省けるので、製品としての付加価値を高めることができる。
【００４１】
なお、側板２、３の折り畳み方は次のとおりである。
図４では、まず先に図で左側の側板２を底板１側へ倒し、各ガイド２１を底板１の上面１０に当接させて載置する。次に、右側の側板３を底板１側へ倒し、各ガイド３１を側板３の上側となった面（符号省略）に当接させて載置する。このとき、下になった側板２と上になった側板３は、各二折れ蝶番７の作用によって双方の高さがほぼ側板２の厚さの分だけ異なった状態でほぼ平行になっている。
【００４２】
詳しく説明すると、側板２側の二折れ蝶番７は、側板２が内側に倒れることにより、中間の板部７２が下側の可曲部７５で内側へ折れ曲がり、側板２が底板１に載置されたときには上端側の取付板部７１は可曲部７４で板部７２とは反対側へ折れ曲がる。このようにして、側板２は底板１との間に各ガイド２１の厚さの分だけ隙間を設けて、底板１とほぼ平行に載置される。
【００４３】
次に、側板３側の二折れ蝶番７は、側板３が内側に倒れることにより、上端側の取付板部７１が前記側板２の場合と相違して、下側の可曲部７５より一段高い可曲部７４で内側へ折り曲げられる。側板３は側板２との間に各ガイド３１の厚さの分だけ隙間を設けて、側板２とほぼ平行に載置される。このようにして、各側板２、３は各二折れ蝶番７に大きな負担をかけることなく折り畳むことができ、保管時には全体をコンパクトにしておくことができるので、保管スペースをより有効に活用することができる。
【００４４】
また、側板２、３は二折れ蝶番７を使用して同じ取付構造で取り付けられているので、必ずしも側板２側から倒す必要はなく、逆に側板３を先に倒して、その上に側板２を載置して折り畳むこともできる。したがって、折り畳み作業時に側板を倒す順番を選択・確認する手間がかからず、折り畳み作業をスムーズに行うことができる。
なお、側板２、３のうち一方側（倒したときに上になる側、下になる側どちらでもよい）を二枚の板を有する一般的な蝶番で取り付けた構造とすることもできる。
【００４５】
折り畳み式組立棺Ａの組み立ては、図５に示すように、まず側板２、３を起こして下面２２、３２を補強部材１１、１１ａの上面１１０に載置するようにして垂直に立て、次に側板２、３に前板４と後板５を取り付け、さらに上部に天板６を載置して簡単に行うことができる。また、このときの側板２、３の動きは、前記したように防水シート８の状態に影響しない。なお、このように組み立てた状態において、前記したように幕板１２は補強部材１１と側板２、３の接合面で形成される線を隠すことができるので、外観が見苦しくならない。
【００４６】
また、底板１は補強部材１１、１１ａ及び幕板１２によって両長辺側が補強され、さらに両短辺側も幕板１２ａによって補強されて曲がりにくくなっており、使用時に底板１に大きな荷重がかかった状態で持ち上げても、各二折れ蝶番７にはほぼ均等に分散して力が作用する。したがって、二折れ蝶番７が変形したり外れたりすることはなく、それが原因で底板１が大きく変形してしまうことを防止できる。
【００４７】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４８】
【図１】本発明に係る折り畳み式組立棺の実施の形態を示す要部分解斜視図。
【図２】折り畳み式組立棺の中間部分を一部省略した縦断面説明図。
【図３】底板と側板の接続に使用される二折れ蝶番の斜視図。
【図４】各側板を底板側へ倒して折り畳んだ状態を示す断面図。
【図５】各側板を立てた状態を示す断面説明図。
【符号の説明】
【００４９】
Ａ  折り畳み式組立棺
１  底板
１０  上面
１１、１１ａ  補強部材
１１０  上面
１１１  内面
１２、１２ａ  幕板
１２０  上面
２  側板
２０  内面
２１  ガイド
２２  下面  
３  側板
３０  内面
３１  ガイド
３２  下面
４  前板
４０  蟻溝
５  後板
５０  蟻溝
６  天板
７  二折れ蝶番７
７１  取付板部
７２  板部
７３  取付板部
７４  可曲部
７５  可曲部
７６  ネジ用孔
７７  釘位置決め用孔
８  防水シート
【図２】
2009285192.tif 000003
【図３】
2009285192.tif 000004
【図１】
2009285192.tif 000005
【図４】
2009285192.tif 000006
【図５】
2009285192.tif 000007